(57)【特許請求の範囲】
【請求項１】
モビリティ管理エンティティ（ＭＭＥ）を操作する方法であって、
フェムトセル基地局から、前記フェムトセル基地局によって検出されたピアツーピアディスカバリ信号を送信した第１のセルラー非アクティブユーザ装置（ＵＥ）デバイスを識別する情報を受信することと、ここにおいて、前記フェムトセル基地局は、前記ピアツーピアディスカバリ信号を傍受するように配置される、
前記受信された情報に基づいて前記ＵＥの場所を決定することと、
前記第１のＵＥデバイスをページングするために使用されるべきページングエリアを第１のエリアに設定するために、前記第１のＵＥデバイスに対応するページングエリア情報を更新することと
を備える、方法。
【請求項２】
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、請求項１に記載の方法。
【請求項３】
前記フェムトセル基地局から、前記フェムトセル基地局によって信号が受信されたマクロ基地局を識別する情報を受信すること、
をさらに備える、請求項２に記載の方法。
【請求項４】
前記フェムトセル基地局によって信号が受信されたマクロ基地局を識別する前記受信された情報に基づいて前記フェムトセル基地局の場所を決定すること、
をさらに備える、請求項３に記載の方法。
【請求項５】
第２のＵＥデバイスから、前記第２のＵＥデバイスが前記第１のＵＥデバイスから信号を受信したことを示す情報を受信することと、
前記第２のＵＥデバイスの場所に基づいて、前記第１のエリアを更新することと、
をさらに備える、請求項１に記載の方法。
【請求項６】
前記第１のＵＥデバイスをページングする要求に応答して、前記第１のエリアへのページの送信を開始すること、
をさらに備える、請求項２に記載の方法。
【請求項７】
前記ディスカバリ信号が、セルラーモードの動作で動作しているデバイスの発見のために使用されないディスカバリチャネル上で送信されている、請求項１に記載の方法。
【請求項８】
フェムトセル基地局から、前記フェムトセル基地局によって検出されたピアツーピアディスカバリ信号を送信した第１のセルラー非アクティブユーザ装置（ＵＥ）デバイスを識別する情報を受信するための手段と、ここにおいて、前記フェムトセル基地局は、前記ピアツーピアディスカバリ信号を傍受するように配置される、
前記受信された情報に基づいて前記ＵＥの場所を決定することと、
前記第１のＵＥデバイスをページングするために使用されるべきページングエリアを第１のエリアに設定するために、前記第１のＵＥデバイスに対応するページングエリア情報を更新するための手段と、
を備える、モビリティ管理エンティティ（ＭＭＥ）。
【請求項９】
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、請求項８に記載のＭＭＥ。
【請求項１０】
前記フェムトセル基地局から、前記フェムトセル基地局によって信号が受信されたマクロ基地局を識別する情報を受信するための手段、
をさらに備える、請求項９に記載のＭＭＥ。
【請求項１１】
前記フェムトセル基地局によって信号が受信されたマクロ基地局を識別する前記受信された情報に基づいて前記フェムトセル基地局の場所を決定するための手段、
をさらに備える、請求項１０に記載のＭＭＥ。
【請求項１２】
第２のＵＥデバイスから、前記第２のＵＥデバイスが前記第１のＵＥデバイスから信号を受信したことを示す情報を受信するための手段と、
前記第２のＵＥデバイスの場所に基づいて、前記第１のエリアを更新するための手段と
をさらに備える、請求項８に記載のＭＭＥ。
【請求項１３】
前記第１のＵＥデバイスをページングする要求に応答して、前記第１のエリアへのページの送信を開始するための手段
をさらに備える、請求項９に記載のＭＭＥ。
【請求項１４】
前記ディスカバリ信号が、セルラーモードの動作で動作しているデバイスの発見のために使用されないディスカバリチャネル上で送信されている、請求項８に記載のＭＭＥ。
【請求項１５】
モビリティ管理エンティティ（ＭＭＥ）で使用するためのコンピュータプログラムであって、前記コンピュータプログラムが、
少なくとも１つのコンピュータに、フェムトセル基地局から、前記フェムトセル基地局によって検出されたピアツーピアディスカバリ信号を送信した第１のセルラー非アクティブユーザ装置（ＵＥ）デバイスを識別する情報を受信させるためのコードと、ここにおいて、前記フェムトセル基地局は、前記ピアツーピアディスカバリ信号を傍受するように配置される、
前記少なくとも１つのコンピュータに、前記受信された情報に基づいて前記ＵＥの場所を決定させるためのコードと、
前記少なくとも１つのコンピュータに、前記第１のＵＥデバイスをページングするために使用されるべきページングエリアを第１のエリアに設定するために、前記第１のＵＥデバイスに対応するページングエリア情報を更新させるためのコードと
を備える、コンピュータプログラム。
【発明の詳細な説明】
【技術分野】
【０００１】
関連出願
[0001]  本出願は、２０１２年７月２０日に出願された、「ＷＡＮ  ＡＳＳＩＳＴＥＤ  ＭＯＮＩＴＯＲＩＮＧ  ＡＮＤ  ＣＯＭＭＵＮＩＣＡＴＩＯＮＳ  ＭＥＴＨＯＤＳ  ＡＮＤ  ＡＰＰＡＲＡＴＵＳ  ＦＯＲ  ＣＯＭＭＵＮＩＣＡＴＩＯＮＳ  ＤＥＶＩＣＥＳ」と題する、係属中の米国特許出願シリアル番号第１３／５５４，８６６号の継続出願であり、参照によりその全体が本明細書に明確に組み込まれる。
【０００２】
[0002]  様々な実施形態は、ページングに向けられており、より具体的には、ディスカバリシグナリング（discovery signaling）を利用することに基づくより効率的なページングに向けられている。
【背景技術】
【０００３】
[0003]  ロングタームエボリューション（ＬＴＥ：long-term evolution）システムなどの現在のセルラーシステムでは、非アクティブなモバイル（ＬＴＥ用語では、無線リソース制御アイドル状態（ＲＲＣ＿ＩＤＬＥ）のユーザ装置（ＵＥ：user equipment））がページングされるべきである場合、トラッキングエリア（ＴＡ：tracking area）と呼ばれる一定のエリア内の複数のセルによってページングメッセージがブロードキャストされる。アイドルＵＥのためのページングメッセージは、ＵＥがトラッキングエリア内に配置されていることを通常は認識しているが、ＵＥがトラッキングエリアのどのマクロセル内に配置されているかを知らない、ＬＴＥネットワークのモビリティ管理エンティティ（ＭＭＥ：mobility management entity）によって初期化される。ＵＥが現在アイドル状態であるために、ＵＥがどの基地局とも通信していない場合、ＵＥが配置されているトラッキングエリアのマクロセルを見つけることは不可能である。
【０００４】
[0004]  図１は状況を示している。図１の例示的なシステム１００には、複数のマクロセル（マクロセル１０２、マクロセル１０４、マクロセル１０６、マクロセル１０８、マクロセル１１０、マクロセル１１２、マクロセル１１４、マクロセル１１６、マクロセル１１８、マクロセル１２０、マクロセル１２２、マクロセル１２４、マクロセル１２６、マクロセル１２８、マクロセル１３０、マクロセル１３２、マクロセル１３４、マクロセル１３６、マクロセル１３８）、および複数の対応するマクロセル基地局（マクロセルＢＳ１０３、マクロセルＢＳ１０５、マクロセルＢＳ１０７、マクロセルＢＳ１０９、マクロセルＢＳ１１１、マクロセルＢＳ１１３、マクロセルＢＳ１１５、マクロセルＢＳ１１７、マクロセルＢＳ１１９、マクロセルＢＳ１２１、マクロセルＢＳ１２３、マクロセルＢＳ１２５、マクロセルＢＳ１２７、マクロセルＢＳ１２９、マクロセルＢＳ１３１、マクロセルＢＳ１３３、マクロセルＢＳ１３５、マクロセルＢＳ１３７、マクロセルＢＳ１３９）がある。マクロ基地局は、ｅＮｏｄｅＢデバイスと呼ばれることもある。システム１００には、複数のモビリティ管理エンティティ（ＭＭＥ１  １６１、ＭＭＥ２  １６３、ＭＭＥ３  １６５）もある。ＭＭＥ１  １６１は、マクロセル（１０２、１０４、１０６、１０８、１１０、１１２）を含むトラッキングエリアＡ１６０に対応し、ＭＭＥ２  １６３は、マクロセル（１１４、１１６、１１８、１２０、１２２、１２４）を含むトラッキングエリアＢ１６２に対応し、ＭＭＥ３  １６５は、マクロセル（１２６、１２８、１３０、１３２、１３４、１３６、１３８）を含むトラッキングエリアＣ１６４に対応する。
【０００５】
[0005]  マクロセル１３２は、対応するフェムトセル１４０を有するフェムトセル基地局１４１をさらに含む。例示的なＵＥデバイス１５０は、マクロセル１３２内に置かれている。ＵＥデバイス１５０が動作のアイドル状態である、たとえば、ＵＥがＲＣＣ＿ＩＤＬＥ状態である場合を考える。
【０００６】
[0006]  トラッキングエリアＣ１６４内のアイドル状態のＵＥ１５０がページングされる必要がある場合、対応するＭＭＥ（ＭＭＥ３  １６５）は、通常、トラッキングエリアＣ１６４内のすべてのマクロ基地局、たとえばｅＮＢ、およびすべての小セル基地局、たとえばフェムト基地にページを転送する。次いで、ページは、マクロ基地局とフェムト基地局とによってブロードキャストされる。したがって、ＭＭＥ３  １７０は、たとえばＭＭＥ３  １６５を基地局に結合するバックホール（backhaul）を介して、アイドル状態のＵＥ１５０をページングするためのページ信号１７０を、マクロ基地局（１２７、１２９、１３１、１３３、１３５、１３７、１３９）とフェムト基地局１４１とに送信する。ＭＭＥ３  １６５から受信された信号１７０に応答して、基地局（１２７、１２９、１３１、１３３、１３５、１３７、１３９、１４１）が、それぞれページ信号（１７１、１７２、１７３、１７４、１７５、１７６、１７７、１７８）を生成および送信する。
【０００７】
[0007]  セル１３２内のページ信号（１７４、１７８）は有用であり得るが、セル（１２６、１２８、１３０、１３４、１３６、１３８）内のページ（１７１、１７２、１７３、１７５、１７６、１７７）は、ＵＥ１５０がセル１３２のカバレッジエリア内にあり、基地局１３３にキャンプオンしており、トラッキングエリアＣ１６４の他のセル（１２６、１２８、１３０、１３４、１３６、１３８）の基地局（１２７、１２９、１３１、１３５、１３７、１３９）通信範囲外にある場合があるので、無駄である場合がある。したがって、ワイヤレスページング信号（１７１、１７２、１７３、１７５、１７６、１７７）は、不要である場合があり、電力および／またはエアリンクリソースを無駄にする場合があり、ならびに／あるいは不要な干渉を生成する場合がある。
【０００８】
[0008]  上記の議論に基づいて、アイドル状態のＵＥのためのより効率的なページングを容易にする新しい方法および装置、たとえば、アイドル状態のＵＥに対応するより小さいページングエリアを識別する方法および装置が開発されると有益であろう。
【発明の概要】
【０００９】
[0009]  ユーザ装置デバイス、たとえばセルラー非アクティブＵＥデバイスに対応するページングエリアを改良、たとえば縮小するための方法および装置が説明される。様々な実施形態は、ユーザ装置デバイスが、直接ユーザデバイスツーユーザデバイス通信が使用されるピアツーピア通信ネットワークに参加し得る、および時々参加する、通信システムによく適している。ピアツーピアネットワークに参加しているユーザ装置デバイスは、ディスカバリ信号、たとえばピアツーピアディスカバリ信号（peer to peer discovery signal）を、ピアディスカバリ通信チャネル上で送信する。ピアツーピアディスカバリ信号を送信しているＵＥデバイスの局所近傍（local vicinity）にあるフェムトセル基地局および／またはセルラーアクティブＵＥデバイスは、ピアディスカバリシグナリング（peer discovery signaling）を傍受（eavesdrop）して、セルラー非アクティブＵＥデバイスの存在を検出する。セルラー非アクティブＵＥデバイスの検出は、ピアツーピアディスカバリ信号を監視することが可能な、フェムトセル基地局またはセルラーアクティブＵＥデバイスによって、ＭＭＥに報告される。ＭＭＥは、報告された情報と、報告するデバイスの場所とに基づいて、検出されたＵＥデバイスに対応するページングエリアを決定する。決定されたページングエリアは、ＭＭＥに対応するトラッキングエリアよりも小さい。
【００１０】
[0010]  いくつかの実施形態によるモビリティ管理エンティティ（ＭＭＥ）を操作する例示的な方法は、フェムトセル基地局から、前記フェムトセル基地局によって検出されたディスカバリ信号を送信した第１のユーザ装置（ＵＥ）デバイスを識別する情報を受信することと、第１のＵＥデバイスをページングするために使用されるべきページングエリアを第１のエリアに設定するために、第１のＵＥデバイスに対応するページングエリア情報を更新することとを含む。いくつかの実施形態による例示的なモビリティ管理エンティティ（ＭＭＥ）は、フェムトセル基地局から、前記フェムトセル基地局によって検出されたディスカバリ信号を送信した第１のユーザ装置（ＵＥ）デバイスを識別する情報を受信して、第１のＵＥデバイスをページングするために使用されるべきページングエリアを第１のエリアに設定するために、第１のＵＥデバイスに対応するページングエリア情報を更新するように構成された少なくとも１つのプロセッサを含む。例示的なＭＭＥは、前記少なくとも１つのプロセッサに結合されたメモリをさらに含む。
【００１１】
[0011]  様々な実施形態が上記の要約で論じられたが、必ずしもすべての実施形態が、同じ特徴を含むとは限らず、また、上述された特徴のうちのいくつかは、必ずしもそうとは限らないが、いくつかの実施形態では所望される場合があることが理解されるべきである。多数の追加の特徴、実施形態、および様々な実施形態の利益について、以下の発明を実施するための形態において論じる。
【図面の簡単な説明】
【００１２】
【図１】[0012]  トラッキングエリア内のアイドル状態のＵＥへのページングが、ＭＭＥの指示のもとにトラッキングエリア内のすべてのマクロセル基地局によってブロードキャストされるシステムを示す図。
【図２】[0013]  様々な例示的な実施形態による、例示的な通信システムを示す図。
【図３】[0014]  様々な例示的な実施形態による、例示的なモビリティ管理エンティティ（ＭＭＥ）を操作する例示的な方法のフローチャート。
【図４】[0015]  様々な例示的な実施形態による、例示的なモビリティ管理エンティティ（ＭＭＥ）の図。
【図５】[0016]  図５に示される例示的なＭＭＥにおいて使用され得る、またいくつかの実施形態で使用される、モジュールのアセンブリの図。
【図６】[0017]  様々な例示的な実施形態による、例示的なモビリティ管理エンティティ（ＭＭＥ）を操作する例示的な方法のフローチャート。
【図７】[0018]  様々な例示的な実施形態による、例示的なモビリティ管理エンティティ（ＭＭＥ）の図。
【図８】[0019]  図７に示される例示的なＭＭＥにおいて使用され得る、またいくつかの実施形態で使用される、モジュールのアセンブリの図。
【図９】[0020]  例示的な実施形態による、検出されたデバイスツーデバイスディスカバリシグナリングに基づいて改良されたページングを実装している例示的な通信システムを示す図。
【発明を実施するための形態】
【００１３】
[0021]  図２は、様々な例示的な実施形態による、例示的な通信システム２００の図である。例示的な通信システム２００は、複数のマクロ基地局（マクロ基地局１  ２０２、．．．、マクロ基地局Ｎ２０４）と、複数の対応するマクロセル（マクロセル１  ２０６、．．．、マクロセルＮ２０８）とを含む。それぞれのマクロセル内に、複数のフェムト基地局と、複数の対応するフェムトセルとがある。マクロセル１  ２０６内に、対応するフェムトセル（フェムトセル１  ２１４、．．．、フェムトセルＭ２１６）を有する、複数のフェムト基地局（フェムト基地局１  ２１０、．．．、フェムト基地局Ｍ２１２）がある。同様に、マクロセルＮ２０８内に、対応するフェムトセル（フェムトセル１’２２２、．．．、フェムトセルＭ’２２４）を有する、複数のフェムト基地局（フェムト基地局１’２１８、．．．、フェムト基地局Ｍ’２２０）がある。システム２００は、システム２００を通じて移動して、そのセル内に配置されているマクロ基地局および／またはフェムト基地局と通信し得る、複数のユーザ装置（ＵＥ）デバイス（ＵＥ１  ２２６、ＵＥ２  ２２８、ＵＥ３  ２３０、ＵＥ４  ２３２、ＵＥ５  ２３４、ＵＥ６  ２３６、ＵＥ７  ２３８、ＵＥ８  ２４０、ＵＥ９  ２４２、ＵＥ１０  ２４４、ＵＥ１１  ２４６、ＵＥ１２  ２４８、ＵＥ１３  ２５０、ＵＥ１４  ２５２、ＵＥ１５  ２５４、ＵＥ１６  ２５６、ＵＥ１７  ２５８、ＵＥ１８  ２６０、．．．、ＵＥ（Ｎ−１）２６２、ＵＥ  Ｎ  ２６４）をさらに含む。ＵＥデバイス（ＵＥ１  ２２６、ＵＥ２  ２２８、ＵＥ３  ２３０、ＵＥ４  ２３２、ＵＥ５  ２３４、ＵＥ６  ２３６、ＵＥ７  ２３８、ＵＥ８  ２４０、ＵＥ９  ２４２、ＵＥ１０  ２４４、ＵＥ１１  ２４６、ＵＥ１２  ２４８、ＵＥ１３  ２５０、ＵＥ１４  ２５２、ＵＥ１５  ２５４、ＵＥ１６  ２５６、ＵＥ１７  ２５８、ＵＥ１８  ２６０、．．．、ＵＥ（Ｎ−１）２６２、ＵＥ  Ｎ  ２６４）は、ピアツーピア通信をさらにサポートし、ＵＥデバイス間の通信が基地局を介する必要がない、デバイスツーデバイス通信と呼ばれることもある。異なる時間に、異なるＵＥデバイスは、セルラー通信およびピアツーピア通信に関して異なる動作モードであってよい。
【００１４】
[0022]  例示的な通信システム２００は、対応するトラッキングエリア２９８を有するモビリティ管理エンティティ２９９をさらに含む。いくつかの実施形態では、複数のモビリティ管理エンティティと、複数の対応するトラッキングエリアとがある。いくつかの実施形態では、ＭＭＥは、複数のトラッキングエリアに対応する。ＭＭＥ２９９は、バックホールネットワークを介して、マクロ基地局（２０２、．．．、２０４）とフェムト基地局（２１０、．．．、２１２、２１８、．．．、２２０）とに結合されている。バックホールネットワーク（backhaul network）は、ワイヤードリンク、光ファイバリンク、および／またはワイヤレス通信リンクを含み得る。
【００１５】
[0023]  システム２００内のフェムト基地局のうちのいくつかは、固定のあらかじめ定められた場所にあり、それらのフェムト基地局の場所はＭＭＥ２９９に知られており、たとえば、場所はＭＭＥ２９９でルックアップテーブルに記憶される。システム２００内のフェムト基地局のうちのいくつかは、システムの初期構成で知られていなかった場所にあり、たとえば、フェムト基地局は初期構成の後にシステムに追加されていてもよく、または、フェムト基地局はモバイルでもよく、特定の場所に一時的にインストールされていてもよい。いくつかの実施形態では、ＭＭＥ２９９によって場所が知られていないフェムト基地局は、近傍のマクロ基地局からダウンリンク信号を受信および測定して、検出されたマクロ基地局信号に関する情報、たとえば、識別情報、到着時間（time of arrival）、および信号強度情報をＭＭＥ２９９に送信する。送信された情報は、フェムト基地局の場所を決定するために、ＭＭＥによって使用される。いくつかの実施形態では、ＭＭＥ２９９に場所が知られていないフェムト基地局は、場所情報を取得して、その場所情報をＭＭＥ２９９に送信する。いくつかの実施形態では、フェムト基地局は、ＧＰＳ、またはマクロ基地局との三辺測量などの測位技法を介してその場所を取得する。
【００１６】
[0024]  システム２００は、ユーザ装置デバイスからの信号が、基地局を経由せずに局所近傍にある別のユーザ装置デバイスに通信される、デバイスツーデバイス通信をサポートしている複数のピアツーピアネットワークをさらに含む。いくつかの実施形態では、ピアツーピアネットワークの数および／または場所は時の経過とともに変化する。例において、図２の、例示的なピアツーピアネットワーク１  ２９６、例示的なピアツーピアネットワーク２  ２９５、および例示的なピアツーピアネットワークＮ２９４が示されている。
【００１７】
[0025]  図２の例では、ＵＥデバイス１  ２２６、ＵＥデバイス２  ２２８、およびＵＥデバイス３  ２３０は、ピアツーピアネットワーク１  ２９６の一部であると考える。さらに、ＵＥデバイス８  ２４０、およびＵＥデバイス７  ２３８は、ピアツーピアネットワーク２  ２９５の一部であると考える。さらに、ＵＥデバイス１４  ２５２、およびＵＥデバイス１３  ２５０は、ピアツーピアネットワークＮ２９４の一部であると考える。さらに、ＵＥデバイス（２２６、２２８、２３０、２３８、２３７、２５２、および２５９）は、マクロセルラー通信およびフェムトセルラー通信に関して非アクティブ状態であると考える。
【００１８】
[0026]  ＵＥデバイス４  ２３２、ＵＥデバイス６  ２３６、およびＵＥデバイス１０  ２４４は、セルラー通信に関してアクティブ状態（たとえば、ＬＴＥにおけるＲＲＣ＿ＣＯＮＮＥＣＴＥＤ状態）であり、マクロ基地局１  ２０２を介してワイヤレスセルラー信号を通信すると考える。ＵＥデバイス５  ２３４は、セルラー通信に関してアクティブ状態であり、フェムトセル基地局１  ２１０とワイヤレスセルラー信号を通信すると考える。ＵＥデバイス９  ２４２は、セルラー通信に関してアクティブ状態であり、フェムトセル基地局Ｍ  ２１２とワイヤレスセルラー信号を通信すると考える。
【００１９】
[0027]  ＵＥデバイス１５  ２５４、ＵＥデバイスＮ−１  ２６２、およびＵＥデバイスＮ２６４は、セルラー通信に関してアクティブ状態であり、マクロ基地局Ｎ２０４を介してワイヤレスセルラー信号を通信すると考える。ＵＥデバイス１１  ２４６、およびＵＥデバイス１２  ２４８は、セルラー通信に関してアクティブ状態であり、フェムトセル基地局１’２１８とワイヤレスセルラー信号を通信すると考える。ＵＥデバイス１６  ２５６、ＵＥデバイス１７  ２５８、およびＵＥデバイス１８  ２６０は、セルラー通信に関してアクティブ状態であり、フェムトセル基地局Ｍ’２２０とワイヤレスセルラー信号を通信すると考える。
【００２０】
[0028]  ピアツーピアネットワークに参加しているＵＥデバイス（２２８、２３０、２２６、２４０、２３８、２５２、２５０）は、ピアツーピアディスカバリ信号を、たとえばピアツーピア通信チャネル上で送信する。ピアツーピアディスカバリ信号を送信している、ＵＥデバイスの近傍にあるフェムト基地局は、ピアツーピアシグナリングを傍受して、ピアツーピアディスカバリ信号を、受信、復号、および測定する。様々な実施形態では、フェムト基地局はピアツーピアネットワークの一部である必要はなく、いくつかの実施形態では、ピアツーピアネットワークの一部ではない。ピアツーピアディスカバリ信号を送信しているＵＥデバイスの近傍のセルラー通信に関して、アクティブなＵＥデバイスは、ピアツーピアシグナリングを傍受して、ピアツーピアディスカバリ信号を、受信、復号、および測定する。様々な実施形態では、マクロセルラーアクティブであるＵＥデバイスはピアツーピアネットワークの一部である必要はなく、いくつかの実施形態では、ピアツーピアネットワークの一部ではない。いくつかの実施形態では、フェムトセル基地局およびアクティブなセルラーＵＥは、ピアツーピアネットワークの一部であり、ピアツーピアディスカバリ信号を、ピアツーピアネットワークの動作の一部として復号する。
【００２１】
[0029]  この例では、フェムト基地局１  ２１０は、セルラー非アクティブＵＥデバイスＵＥ２  ２２８およびＵＥ３  ２３０によって送信されるピアツーピアディスカバリ信号を受信、復号、および測定する。フェムト基地局１  ２１０は、検出されたＵＥ２  ２２８に関する情報をＭＭＥ２９９に報告する。報告された情報は、非アクティブＵＥ２  ２２８の場所をエリア内に決定して、ＵＥ２デバイス２２８をページングするときに使用されるべきページングエリアを改良するために、ＭＭＥ２９９によって使用される。フェムト基地局１  ２１０は、検出されたＵＥ３  ２３０に関する情報をＭＭＥ２９９に報告する。報告された情報は、非アクティブＵＥ３  ２３０の場所を決定して、ＵＥ３デバイス２３０をページングするときに使用されるべきページングエリアを改良するために、ＭＭＥ２９９によって使用される。フェムト基地局によって報告される情報は、たとえば、非アクティブＵＥの識別、検出されたピアツーピア信号（たとえば、ディスカバリ信号）の受信された信号強度、ピアツーピア信号を送信するためにセルラー非アクティブＵＥによって使用される送信電力、ピアツーピア信号の到着時間、ピアツーピアディスカバリ信号を送信するために非アクティブＵＥによって使用されるリソースのうちの１つもしくは複数、またはすべてを含む。
【００２２】
[0030]  マクロセルラーアクティブＵＥ４  ２３２は、セルラー非アクティブＵＥデバイスＵＥ１  ２２６によって送信されるピアツーピアディスカバリ信号を受信、復号、および測定する。マクロセルラーアクティブＵＥデバイス４  ２３２は、検出されたＵＥ１  ２２６に関する情報をＭＭＥ２９９に報告する。報告された情報は、非アクティブＵＥ１  ２２６の場所を決定して、ＵＥデバイス１  ２２６をページングするときに使用されるべきページングエリアを改良するために、ＭＭＥ２９９によって使用される。ＭＭＥ２９９は、非アクティブＵＥの場所を改良して、非アクティブＵＥのページングエリアをさらに改良するために、複数のフェムトセル基地局によって検出された非アクティブＵＥ、および／またはセルラーアクティブＵＥに関する情報を結合することができ、時々結合する。
【００２３】
[0031]  この例では、フェムト基地局Ｍ２１２は、セルラー非アクティブＵＥデバイスＵＥ８  ２４０およびＵＥ７  ２３８によって送信されるピアツーピアディスカバリ信号を受信、復号、および測定する。フェムト基地局Ｍ２１２は、検出されたＵＥ８  ２４０に関する情報をＭＭＥ２９９に報告する。報告された情報は、非アクティブＵＥ８  ２４０の場所を決定して、ＵＥデバイス８  ２４０をページングするときに使用されるべきページングエリアを改良するために、ＭＭＥ２９９によって使用される。フェムト基地局Ｍ２１２は、検出されたＵＥ７  ２３８に関する情報をＭＭＥ２９９に報告する。報告された情報は、非アクティブＵＥ７  ２３８の場所を決定して、ＵＥデバイス７  ２３８をページングするときに使用されるべきページングエリアを改良するために、ＭＭＥ２９９によって使用される。
【００２４】
[0032]  フェムト基地局１’２１８は、セルラー非アクティブＵＥデバイスＵＥ１４  ２５２およびＵＥ１３  ２５０によって送信されるピアツーピアディスカバリ信号を受信、復号、および測定する。フェムト基地局１’２１８は、検出されたＵＥ１４  ２５２に関する情報をＭＭＥ２９９に報告する。報告された情報は、非アクティブＵＥ１４  ２５２の場所を決定して、ＵＥデバイス１４  ２５２をページングするときに使用されるべきページングエリアを改良するために、ＭＭＥ２９９によって使用される。フェムト基地局１’２１８は、検出されたＵＥ１３  ２５０に関する情報をＭＭＥ２９９に報告する。報告された情報は、非アクティブＵＥ１３  ２５０の場所を決定して、ＵＥデバイス１３  ２５０をページングするときに使用されるべきページングエリアを改良するために、ＭＭＥ２９９によって使用される。
【００２５】
[0033]  マクロセルラーアクティブＵＥ  Ｎ２６４は、セルラー非アクティブＵＥデバイス（ＵＥ１４  ２５２およびＵＥ１３  ２５０）によって送信されるピアツーピアディスカバリ信号を受信、復号、および測定する。マクロセルラーアクティブＵＥデバイスＮ２６４は、検出されたＵＥ１４  ２５２に関する情報をＭＭＥ２９９に報告する。報告された情報は、ＭＭＥ２９９によって使用され、非アクティブＵＥ１４  ２５２の位置をさらに決定して、ＵＥデバイス１４  ２５２をページングするときに使用されるべきページングエリアをさらに改良する。マクロセルラーアクティブＵＥデバイスＮ２６４は、検出されたＵＥ１３  ２５０に関する情報をＭＭＥ２９９に報告する。報告された情報は、ＭＭＥ２９９によって使用され、非アクティブＵＥ１３  ２５０の位置をさらに決定して、ＵＥデバイス１３  ２５０をページングするときに使用されるべきページングエリアをさらに改良する。
【００２６】
[0034]  いくつかの実施形態では、マクロ基地局は、ピアツーピアディスカバリ信号をさらに監視して、検出されたセルラー非アクティブＵＥに関する情報をＭＭＥ２９９に報告する。
【００２７】
[0035]  図３は、様々な例示的な実施形態による、モビリティ管理エンティティ（ＭＭＥ）を動作させる例示的な方法のフローチャート３００である。動作は、モビリティ管理エンティティが電源投入されて初期化される、ステップ３０２から開始する。いくつかの実施形態では、動作はステップ３０２からステップ３０４に進む。いくつかの他の実施形態では、動作はステップ３０２からステップ３０７に進む。いくつかの他の実施形態では、動作はステップ３０２からステップ３０８に進み、ステップ３０４、３０６、および３０７を迂回する。
【００２８】
[0036]  ステップ３０４に戻ると、ステップ３０４で、ＭＭＥは、フェムトセル基地局から、フェムト基地局によって信号が受信されたマクロ基地局を識別する情報を受信する。動作はステップ３０４からステップ３０６に進む。ステップ３０６で、ＭＭＥは、フェムト基地局によって信号が受信されたマクロ基地局を識別する受信された情報に基づいてフェムトセル基地局の場所を決定する。いくつかの実施形態では、ＭＭＥは、マクロ基地局に対応するフェムトセル基地局から追加の情報、たとえば、マクロ基地局のダウンリンク信号の受信された信号強度、および／またはマクロ基地局からの信号の到着時間も受信する。いくつかのそのような実施形態では、ＭＭＥは、フェムトセル基地局の場所を決定する際に、マクロ基地局に対応する追加の情報を使用する。動作はステップ３０６からステップ３０８に進む。
【００２９】
[0037]  ステップ３０７に戻ると、ステップ３０７で、ＭＭＥは、フェムトセル基地局から、フェムトセル基地局の場所情報を受信する。いくつかのそのような実施形態では、フェムトセル基地局は、ＧＰＳ、またはマクロ基地局との三辺測量などの測位技法を介してその場所を取得して、フェムトセル基地局は、その決定された位置をＭＭＥに送信する。
【００３０】
[0038]  ステップ３０８で、ＭＭＥは、前記フェムト基地局から、前記フェムト基地局によって検出されたディスカバリ信号、たとえば、ピアツーピアディスカバリ信号を送信した第１のユーザ装置（ＵＥ）デバイスを識別する情報を受信する。いくつかの実施形態では、ディスカバリ信号は、デバイスツーデバイスディスカバリ信号である。いくつかの実施形態では、ディスカバリ信号は、デバイスツーデバイストラフィック信号である。いくつかの実施形態では、デバイスツーデバイスディスカバリ信号は、前記第１のＵＥデバイスが、マクロ基地局、たとえばｅＮｏｄｅＢ、またはフェムト基地局とのアクティブな接続を有さない時間期間中に受信される。
【００３１】
[0039]  いくつかの実施形態では、ディスカバリ信号は、動作の、たとえば、ＵＥデバイスがマクロセルの基地局と通信するモードで動作しているデバイスの発見のために使用されないディスカバリチャネル上で送信される。たとえば、ディスカバリチャネルは、ピアツーピアディスカバリチャネル（peer to peer discovery channel）である。
【００３２】
[0040]  いくつかの実施形態では、動作はステップ３０８からステップ３１０に進む。他の実施形態では、動作はステップ３０８からステップ３０９に進む。ステップ３０９で、ＭＭＥは、前記第２のフェムトセル基地局から、検出されたディスカバリ信号に対応する追加の情報を受信する。いくつかのそのような実施形態では、検出されたディスカバリ信号に対応する前記追加の情報は、ディスカバリ信号の受信電力、ディスカバリ信号の送信電力、またはディスカバリ信号が検出されたリソースの識別のうちの少なくとも１つを含む。いくつかの実施形態では、検出されたディスカバリ信号に対応する追加の情報は、受信されたディスカバリ信号についての情報、たとえば、受信された信号強度、到着時間（time of arrival）、ディスカバリ信号の送信電力を含む。
【００３３】
[0041]  ステップ３１０で、ＭＭＥは、第１のＵＥデバイスをページングするために使用されるべきページングエリアを第１のページエリアに設定するために、前記第１のＵＥデバイスに対応するページングエリア情報を更新する。様々な実施形態では、ステップ３１０の更新は、ステップ３０８および／またはステップ３０９で受信された情報、ならびにフェムトセル基地局の場所に基づいている。様々な実施形態では、第１のエリアは、フェムトセル基地局を含む。様々な実施形態では、第１のエリアは、フェムト基地局が前記第１のＵＥデバイスに対応するディスカバリ信号の検出を前記ＭＭＥに報告していないときに前記第１のデバイスをページングするために使用されるエリアよりも小さい。
【００３４】
[0042]  いくつかの実施形態では、動作はステップ３１０からステップ３１８に進み、ステップ３１２、３１４、および３１５を迂回する。いくつかの他の実施形態では、動作はステップ３１０からステップ３１２に進み、ステップ３１４と３１５のうちの１つまたは両方を迂回する。他の実施形態では、動作はステップ３１０からステップ３１２に、およびステップ３１４と３１５のうちの１つまたは両方に進む。ステップ３１２に戻ると、ステップ３１２で、ＭＭＥは、たとえば基地局フォワーディングを介して、第２のＵＥデバイスから、第２のＵＥデバイスが、第１のＵＥデバイスから、信号、たとえばディスカバリ信号を受信したことを示す情報を受信する。いくつかのそのような実施形態では、第２のＵＥデバイスは、第１のＵＥデバイスとのアクティブな接続を有していない。動作はステップ３１２からステップ３１６に進む。ステップ３１４に戻ると、ステップ３１４で、ＭＭＥは、たとえば基地局メッセージフォワーディングを介して、第２のＵＥデバイスから、第２のＵＥデバイスの場所を示す情報を受信する。いくつかの実施形態では、第２のＵＥデバイス、たとえばＧＰＳ受信機を含むデバイスは、その場所を知っており、受信された信号情報とともにその場所を報告する。いくつかの実施形態では、第２のＵＥデバイスの場所は、第２のＵＥデバイスの外部に決定されて、別のデバイス、たとえば、第２のデバイスがアクティブな接続を有する基地局によって、ＭＭＥデバイスに報告される。動作はステップ３１４からステップ３１６に進む。ステップ３１５に戻ると、ステップ３１５で、ＭＭＥは、たとえば基地局メッセージフォワーディングを介して、第２のＵＥデバイスから、第１のＵＥデバイスから受信された信号に対応する追加の情報を受信する。いくつかの実施形態では、第１のＵＥデバイスから受信された信号に対応する前記追加の情報は、第１のＵＥデバイスから受信された信号の受信電力、第１のＵＥデバイスから受信された信号の送信電力、または第１のＵＥデバイス信号から受信された信号が検出されたリソースの識別のうちの少なくとも１つを含む。いくつかの実施形態では、第１のＵＥデバイスから受信された信号に対応する追加の情報は、受信された信号、たとえば、受信された信号強度、到着時間、信号の送信電力についての情報を含む。動作はステップ３１５からステップ３１６に進む。
【００３５】
[0043]  ステップ３１６で、ＭＭＥは、第２のＵＥデバイスの場所に基づいて第１のエリアを更新する。いくつかの実施形態では、ステップ３１６で、ＭＭＥは、第２のデバイスの場所、および第２のＵＥデバイスによって第１のＵＥデバイスから受信された信号に対応する前記受信された追加の情報に基づいて第１のエリアを更新する。したがって、ステップ３１６で、第２のＵＥデバイスによって検出され、ＭＭＥに報告された、第１のＵＥデバイスから送信された信号に基づいて、第１のエリアが更新され、たとえば、改良される。動作はステップ３１６からステップ３１８に進む。
【００３６】
[0044]  ステップ３１８で、ＭＭＥは、第１のＵＥデバイスをページングする要求を受信する。動作はステップ３１８からステップ３２０に進む。ステップ３２０で、ＭＭＥは、前記第１のデバイスをページングする要求に応答して、前記第１のエリアへの、ページ、すなわちページング信号の送信を開始する。動作はステップ３２０からステップ３０４への入力に進む。
【００３７】
[0045]  いくつかの実施形態では、フェムトセル基地局は、マクロ基地局に関して知られている場所、たとえば、ＭＭＥのメモリに記憶された、あらかじめ定められた固定の知られている場所にある。いくつかのそのような実施形態では、ステップ３０４、３０６、および３０７は実行されず、迂回される。
【００３８】
[0046]  いくつかの実施形態では、報告するフェムト基地局の場所は、ＭＭＥによって初めに知られているが、マクロ基地局の知られている場所、および報告するフェムト基地局によってどのマクロ基地局が聞かれるかに基づいて決定されてもよく、時々決定される。いくつかのそのような実施形態では、ステップ３０４と３０６が実行される。
【００３９】
[0047]  図４は、様々な例示的な実施形態による、例示的なモビリティ管理エンティティ（ＭＭＥ）４００の図である。例示的なＭＭＥ４００は、たとえば、図２のシステム２００のＭＭＥのうちの１つである。例示的なＭＭＥ４００は、図３のフローチャート３００による方法を実装してもよく、時々実装する。
【００４０】
[0048]  ＭＭＥ４００は、様々な要素（４０２、４０４）がデータおよび情報を交換することができるバス４０９を介してともに結合された、プロセッサ４０２とメモリ４０４とを含む。ＭＭＥ４００は、図示されるようにプロセッサ４０２に結合され得る入力モジュール４０６と出力モジュール４０８とをさらに含む。しかしながら、いくつかの実施形態では、入力モジュール４０６と出力モジュール４０８とは、プロセッサ４０２の内部に配置されている。入力モジュール４０６は、入力信号を受信することができる。入力モジュール４０６は、入力を受信するためのワイヤードおよび／または光入力インターフェースを含む。いくつかの実施形態では、入力モジュール４０６は、入力を受信するためのワイヤレス受信機をさらに含む。出力モジュール４０８は、出力を送信するためのワイヤードおよび／または光出力インターフェースを含む。いくつかの実施形態では、出力モジュール４０８は、出力を送信するためのワイヤレス送信機をさらに含む。いくつかの実施形態では、メモリ４０４は、ルーチン４１１とデータ／情報４１３とを含む。
【００４１】
[0049]  いくつかの実施形態では、プロセッサ４０２は、フェムトセル基地局から、前記フェムトセル基地局によって検出されたディスカバリ信号、たとえば、ピアツーピアディスカバリ信号を送信した第１のユーザ装置（ＵＥ）デバイスを識別する情報を受信して、第１のＵＥデバイスをページングするために使用されるべきページングエリアを第１のエリアに設定するために、第１のＵＥデバイスに対応するページングエリア情報を更新するように構成される。
【００４２】
[0050]  いくつかの実施形態では、プロセッサ４０２は、ＭＭＥは、前記フェムトセル基地局から、検出されたディスカバリ信号に対応する追加の情報を受信するようにさらに構成される。いくつかのそのような実施形態では、検出されたディスカバリ信号に対応する前記追加の情報は、ディスカバリ信号の受信電力、ディスカバリ信号の送信電力、またはディスカバリ信号が検出されたリソースの識別のうちの少なくとも１つを含む。
【００４３】
[0051]  様々な実施形態では、前記第１のエリアは、前記フェムトセル基地局を含む。いくつかのそのような実施形態では、前記第１のエリアは、フェムトセル基地局が前記第１のＵＥデバイスに対応するディスカバリ信号の検出を前記ＭＭＥに報告していないときに前記第１のＵＥデバイスをページングするために使用されるエリアよりも小さい。
【００４４】
[0052]  いくつかの実施形態では、前記フェムトセル基地局は、マクロ基地局に関して知られている場所にある。いくつかのそのような実施形態では、ＭＭＥは、フェムト基地局の場所に対応する場所情報を記憶する。
【００４５】
[0053]  いくつかの実施形態では、報告するフェムトセル基地局の場所は、ＭＭＥによって知られていないが、マクロ基地局の知られている場所、および報告するフェムトセル基地局によってどのマクロ基地局が聞かれるかに基づいて決定されてもよく、時々決定される。
【００４６】
[0054]  いくつかの実施形態では、プロセッサ４０２は、前記フェムトセル基地局から、前記フェムトセル基地局によって信号が受信されたマクロ基地局を識別する情報を受信するようにさらに構成される。いくつかのそのような実施形態では、プロセッサ４０２は、前記フェムトセル基地局によって信号が受信されたマクロ基地局を識別する受信された情報に基づいて前記フェムトセル基地局の場所を決定するようにさらに構成される。いくつかの実施形態では、プロセッサ４０２は、前記フェムトセル基地局から、前記フェムトセル基地局の場所情報を受信するように構成される。いくつかの実施形態では、フェムトセル基地局は、その場所を、たとえば受信されたＧＰＳ信号に基づいて決定して、その場所情報をＭＭＥに送信する。
【００４７】
[0055]  いくつかの実施形態では、ディスカバリ信号は、デバイスツーデバイスディスカバリ信号である。デバイスツーデバイスディスカバリ信号は、ピアツーピアディスカバリ信号と呼ばれることもある。いくつかの実施形態では、デバイスツーデバイスディスカバリ信号（device-to-device discovery signal）は、前記第１のＵＥデバイスが、マクロ基地局、たとえばｅＮｏｄｅＢ、またはフェムト基地局とのアクティブな接続を有さない時間期間中に受信される。
【００４８】
[0056]  様々な実施形態では、プロセッサ４０２は、たとえば、基地局を介して間接的に、第２のＵＥデバイスから、第２のＵＥデバイスが、信号、たとえばディスカバリ信号を、第１のＵＥデバイスから受信したことを示す情報を受信するように構成される。様々な実施形態では、第２のＵＥデバイスは、第１のＵＥデバイスとのアクティブな接続を有していない。いくつかの実施形態では、プロセッサ４０２は、第２のＵＥデバイスの場所に基づいて第１のエリアを更新するように構成される。したがって、いくつかの実施形態では、第１のＵＥデバイスのページングエリアは、フェムトセル基地局からＭＭＥに報告される情報と、第２のＵＥデバイスからＭＭＥに報告される情報の両方に基づいて決定されてもよく、時々決定される。場合によっては、第２のＵＥデバイスは、その場所を知っており、受信された信号情報とともにその場所を報告し、プロセッサ４０２は、第２のデバイスに対応する場所情報を受信するように構成される。いくつかの実施形態では、プロセッサ４０２は、前記第２のＵＥデバイスから、第１のＵＥデバイスから受信された信号に対応する追加の情報を受信するように構成される。いくつかのそのような実施形態では、第１のＵＥデバイスから受信された信号に対応する前記追加の情報は、第１のＵＥデバイスからの信号の受信電力、第１のＵＥデバイスからの信号の送信電力、または第１のＵＥデバイスからの信号が検出されたリソースの識別のうちの少なくとも１つを含む。いくつかのそのような実施形態では、プロセッサ４０２は、第１のＵＥデバイスのためのページングエリアを決定する際に、第１のＵＥデバイスから受信された信号に対応する前記受信された追加の情報を使用するように構成される。
【００４９】
[0057]  様々な実施形態では、プロセッサは、前記第１のＵＥデバイスをページングする要求を受信するように構成される。いくつかのそのような実施形態では、プロセッサ４０２は、前記第１のＵＥデバイスをページングする要求に応答して、前記第１のエリアへのページの送信を開始するようにさらに構成される。
【００５０】
[0058]  いくつかの実施形態では、ディスカバリ信号は、セルラーモードの動作中に、たとえば、ＵＥデバイスがマクロセルの基地局と通信するモードで動作しているデバイスの発見のために使用されないディスカバリチャネル上で送信されている。いくつかの実施形態では、ディスカバリチャネルは、ピアツーピアディスカバリチャネルである。
【００５１】
[0059]  様々な実施形態では、フェムト基地局は、ＵＥデバイスから送信されたディスカバリシグナリング（discovery signaling）、たとえば、その局所近傍で発生しているピアツーピアディスカバリシグナリングを傍受する。傍受を実行しているフェムト基地局は、ピアツーピア通信ネットワークの一部である必要はなく、様々な実施形態では、ピアツーピア通信ネットワークの一部ではない。ピアツーピアディスカバリ信号を送信しているＵＥデバイスは、セルラーネットワークに関して非アクティブ状態（inactive state）でもよく、時々非アクティブ状態であり、たとえば、ＵＥデバイスは、セルラー非アクティブモバイル、たとえばＲＲＣ＿ＩＤＬＥ  ＵＥデバイスでよい。
【００５２】
[0060]  様々な実施形態では、アクティブなセルラー状態のＵＥデバイス、たとえば、ＲＲＣ＿ＣＯＮＮＥＣＴＥＤ  ＵＥデバイスは、非アクティブ状態のセルラーＵＥデバイスから送信されたディスカバリシグナリング、たとえば、その局所近傍で発生しているピアツーピアディスカバリシグナリングを傍受する。傍受を実行しているアクティブなセルラー状態のＵＥデバイスは、ピアツーピア通信ネットワークの一部である必要はなく、様々な実施形態では、ピアツーピア通信ネットワークの一部ではない。
【００５３】
[0061]  したがって、アクティブなセルラー状態（active cellular state）のフェムト基地および／またはＵＥデバイス、たとえば、マクロ基地局とのアクティブな接続を有するＵＥデバイスは、セルラー非アクティブＵＥデバイスによって送信されているピアツーピアディスカバリシグナリングを傍受して、非アクティブＵＥデバイスの情報をＭＭＥに報告してもよく、時々それらを行う。報告された情報は、セルラー非アクティブＵＥを見つけて、セルラー非アクティブＵＥに対応するページングエリアを縮小させるために、ＭＭＥによって使用される。
【００５４】
[0062]  図５は、図４に示される例示的なＭＭＥ４００において使用され得る、またいくつかの実施形態で使用される、モジュールのアセンブリ５００を示す図である。アセンブリ５００内のモジュールは、図４のプロセッサ４０２内のハードウェアに、たとえば個々の回路として実装され得る。あるいは、モジュールはソフトウェアに実装されて、図４に示されるＭＭＥ４００のメモリ４０４に記憶され得る。いくつかのそのような実施形態では、モジュールのアセンブリ５００は、図４のＭＭＥ４００のメモリ４０４のルーチン４１１に含まれる。図４の実施形態には単一のプロセッサ、たとえばコンピュータとして示されているが、プロセッサ４０２は、１つまたは複数のプロセッサ、たとえばコンピュータとして実装され得ることが理解されるべきである。ソフトウェアで実装される場合、モジュールは、プロセッサによって実行されると、プロセッサ、たとえばコンピュータ４０２を、モジュールに対応する機能を実装するように構成するコードを含む。いくつかの実施形態では、プロセッサ４０２は、モジュールのアセンブリ５００のモジュールの各々を実装するように構成される。モジュールのアセンブリ５００がメモリ４０４に記憶されるいくつかの実施形態では、メモリ４０４は、少なくとも１つのコンピュータ、たとえば、プロセッサ４０２に、モジュールが対応する機能を実装させるためのコード、たとえば、モジュールごとの個別コードを備えるコンピュータ可読媒体、たとえば、非一時的コンピュータ可読媒体を備えるコンピュータプログラム製品である。
【００５５】
[0063]  完全にハードウェアベースのまたは完全にソフトウェアベースのモジュールが使用され得る。しかしながら、機能を実装するために、ソフトウェアおよびハードウェア（たとえば、回路が実装された）モジュールの任意の組合せが使用され得ることが理解されるべきである。理解されるように、図５に示されるモジュールは、図３のフローチャート３００の方法において図示および／または説明された対応するステップの機能を実行するために、ＭＭＥ４００、または、プロセッサ４０２などのその中の要素を制御および／または構成する。
【００５６】
[0064]  モジュールのアセンブリ５００は、フェムトセル基地局から、前記フェムトセル基地局によって信号が受信されたマクロセル基地局を識別する情報を受信するように構成されたモジュール５０４と、フェムトセル基地局から、追加の情報、たとえば、マクロセル基地局の受信されたダウンリンク信号の受信された信号強度、および／または、前記フェムトセル基地局によって信号が受信されたマクロセル基地局に対応する、マクロ基地局からの信号の到着時間を通信する情報を受信するように構成されたモジュール５０５と、前記フェムト基地局によって信号が受信されたマクロ基地局を識別する受信された信号に基づいて、フェムトセル基地局の場所を決定するように構成されたモジュール５０６と、前記フェムト基地局によって信号が受信されたマクロ基地局を識別する受信された情報に基づいて、および、前記フェムト基地局によって信号が受信されたマクロ基地局に対応する追加の情報に基づいて、フェムトセル基地局の場所を決定するように構成されたモジュール５４６と、フェムトセル基地局から、フェムトセル基地局の場所情報を受信するように構成されたモジュール５０７とを含む。
【００５７】
[0065]  モジュールのアセンブリ５００は、前記フェムト基地局から、前記フェムト基地局によって検出されたディスカバリ信号、たとえばピアツーピアディスカバリ信号を送信した第１のユーザ装置（ＵＥ）デバイスを識別する情報を受信するように構成されたモジュール５０８と、前記フェムトセル基地局から、検出されたディスカバリ信号に対応する追加の情報を受信するように構成されたモジュール５０９と、第１のＵＥデバイスをページングするために使用されるべきページングエリアを第１のエリアに設定するために、前記第１のＵＥデバイスに対応するページングエリア情報を更新するように構成されたモジュール５１０とをさらに含む。いくつかの実施形態では、モジュール５１０は、第１のＵＥデバイスをページングするために使用されるべきページングエリアを、検出されたディスカバリ信号およびフェムトセル基地局の場所を送信した第１のＵＥデバイスを識別するフェムトセル基地局から受信された情報に基づいて第１のエリアに設定するために、前記第１のＵＥデバイスに対応するページングエリア情報を更新するように構成される。いくつかの実施形態では、モジュール５１０は、第１のＵＥデバイスをページングするために使用されるべきページングエリアを、検出されたディスカバリ信号、検出されたディスカバリ信号に対応するフェムトセル基地局から受信された追加の情報、およびフェムトセル基地局の場所を送信した第１のＵＥデバイスを識別するフェムトセル基地局から受信された情報に基づいて第１のエリアに設定するために、前記第１のＵＥデバイスに対応するページングエリア情報を更新するように構成される。いくつかの実施形態では、ディスカバリ信号は、デバイスツーデバイスディスカバリ信号である。いくつかのそのような実施形態では、デバイスツーデバイスディスカバリ信号は、ディスカバリ信号を送信した前記第１のＵＥデバイスが、マクロ基地局またはフェムト基地局とのアクティブな接続を有さない時間期間中に受信される。いくつかの実施形態では、ディスカバリ信号は、動作のセルラーモード、たとえば、ＵＥデバイスがマクロセルの基地局と通信するモードで動作しているデバイスの発見のために使用されないディスカバリチャネル上で送信されている。様々な実施形態では、ディスカバリチャネルは、ピアツーピアディスカバリチャネル（peer to peer discovery channel）である。
【００５８】
[0066]  いくつかの実施形態では、第１のエリアは、前記フェムトセル基地局を含む。様々な実施形態では、第１のエリアは、フェムトセル基地局が前記第１のＵＥデバイスに対応するディスカバリ信号の検出を前記ＭＭＥに報告していないときに第１のＵＥデバイスをページングするために使用されるエリアよりも小さい。
【００５９】
[0067]  モジュールのアセンブリ５００は、第２のＵＥデバイスから、第２のＵＥデバイスが第１のＵＥデバイスから信号を受信したことを示す情報を受信するように構成されたモジュール５１２と、第２のＵＥデバイスから、第２のＵＥデバイスの場所を示す情報を受信するように構成されたモジュール５１４と、第２のＵＥデバイスから、第１のＵＥデバイスから受信された信号に対応する追加の情報を受信するように構成されたモジュール５１５と、第２のＵＥデバイスの場所に基づいて第１のエリアを更新するように構成されたモジュール５１６とをさらに含む。いくつかの実施形態では、モジュール５１６は、第２のデバイスの場所と、第１のＵＥデバイスから受信された信号に対応する追加の情報との両方に基づいて、第１のエリアを更新するように構成される。モジュールのアセンブリ５００は、第１のＵＥデバイスをページングする要求を受信するように構成されたモジュール５１８と、前記第１のＵＥデバイスをページングする要求に応答して、前記第１のエリアへのページの送信を開始するように構成されたモジュール５２０とをさらに含む。
【００６０】
[0068]  いくつかのそのような実施形態では、報告するフェムト基地局は、マクロ基地局に関して知られている場所、たとえば、ＭＭＥに記憶された、あらかじめ定められた固定の知られている場所にある。その特定の報告するフェムト基地局のために、モジュール５０４と５０６は、フェムト基地局の位置はすでにＭＭＥによって知られているので、それを決定するために実行される必要がない。いくつかの実施形態では、報告するフェムト基地局の場所がＭＭＥによって知られていない場合があり、モジュール５０４と５０６とは、報告するフェムト基地局の場所を決定するために使用される。
【００６１】
[0069]  図６は、様々な例示的な実施形態による、モビリティ管理エンティティ（ＭＭＥ）を操作する例示的な方法のフローチャート６００である。ＭＭＥは、たとえば、図２のシステム２００のＭＭＥである。動作は、ＭＭＥが電源投入されて初期化される、ステップ６０２から開始する。動作はステップ６０２からステップ６０４、６１０、６１４、６１６、および６２０に進む。ステップ６０４で、ＭＭＥは、フェムトセル基地局、たとえば、そのトラッキングエリア内のどこかに配置されたフェムト基地局から、フェムトセル基地局によって信号が受信されたマクロ基地局を識別する情報を受信する。ＭＭＥによって受信された情報は、たとえば、フェムトセル基地局ＩＤ情報と、１セットのマクロセル基地局ＩＤとを含む。いくつかの実施形態では、ＭＭＥによって受信された情報は、フェムト基地局によって検出および測定される信号を送信したマクロ基地局に対応する受信された信号強度測定値をさらに含む。動作はステップ６０４からステップ６０６に進み、ＭＭＥは、信号が受信されたマクロ基地局を識別する受信された情報に基づいて、フェムトセル基地局の場所を決定する。動作はステップ６０６からステップ６０８に進む。ステップ６０８で、ＭＭＥは、フェムト基地局の決定された場所を記憶する。動作はステップ６０８からステップ６０４に進み、ＭＭＥは、そのトラッキングエリア内に配置される、およびフェムト基地局の場所が決定されるべき、別のフェムト基地局から信号を受信することができる。
【００６２】
[0070]  ステップ６１０に戻ると、ステップ６１０で、ＭＭＥは、フェムトセル基地局から、前記フェムト基地局によって検出されたディスカバリ信号、たとえば、ピアツーピアディスカバリ信号を送信したユーザ装置（ＵＥ）デバイスを識別する情報を受信する。いくつかの実施形態では、ピアツーピアディスカバリ信号は、代替でデバイスツーデバイスディスカバリ信号と呼ばれる。動作はステップ６１０からステップ６１２に進み、ＭＭＥが、検出されたＵＥデバイスをページングするために使用されるべきページングエリアを設定するために、前記検出されたＵＥデバイスに対応するページングエリア情報を更新する。様々な実施形態では、ＵＥデバイスのデフォルトのページングエリアは、ＭＭＥのトラッキングエリア全体であり、ステップ６１２で、検出されたＵＥデバイスのページングエリアが改良され、たとえば、検出されたピアツーピアディスカバリ信号、およびあらかじめ定められた、知られている、または検出された信号を受信したフェムト基地局の決定された場所に基づいて、トラッキングエリア全体よりも小さいエリアをカバーするために縮小される。様々な実施形態では、ＵＥデバイスの改良されたページングエリアは、ディスカバリ信号を検出したフェムトセル基地局の場所を含む。
【００６３】
[0071]  様々な実施形態では、ディスカバリ信号を送信した、検出されたＵＥデバイスは、マクロセルラー通信およびフェムトセルラー通信に関して非アクティブ状態である。いくつかの実施形態では、ピアツーピアディスカバリ信号を検出したフェムトセル基地局は、ピアツーピアネットワークの一部ではないが、ピアツーピアネットワーク内で発生しているピアツーピアディスカバリシグナリング（peer to peer discovery signaling）を傍受している。
【００６４】
[0072]  動作はステップ６１２からステップ６１０に進み、ＭＭＥが、同じまたは別のフェムトセル基地局から、ディスカバリ信号を送信したＵＥデバイスを識別する情報を受信する。検出されたディスカバリ信号、たとえば、ピアツーピアディスカバリ信号を送信したＵＥデバイスは、ステップ６１０およびステップ６１２の最後の反復と同じＵＥデバイスでもよく、または異なるＵＥデバイスでもよい。
【００６５】
[0073]  ステップ６１４およびステップ６１６に戻ると、ステップ６１４で、ＭＭＥは、セルラーアクティブＵＥデバイスから、基地局を介して、前記セルラーアクティブＵＥデバイスによって検出されたディスカバリ信号、たとえば、ピアツーピアディスカバリ信号を送信したユーザ装置デバイスを識別する情報を受信する。ステップ６１６で、ＭＭＥは、ステップ６１６で言及されるセルラーアクティブＵＥデバイスの場所を識別する場所情報を受信する。いくつかの実施形態では、セルラーアクティブＵＥデバイスは、たとえば、埋め込まれたＧＰＳモジュールを介してそれ自体の場所を決定して、その位置をＭＭＥに通信する。他の実施形態では、基地局または他のネットワークノードが、セルラーアクティブＵＥデバイスの場所を決定して、場所情報をＭＭＥに通信する。動作はステップ６１４および６１６からステップ６１８に進む。
【００６６】
[0074]  ステップ６１８で、ＭＭＥは、検出されたＵＥデバイスをページングするために使用されるべきページングエリアを設定するために、ステップ６１４で言及される、前記検出されたＵＥデバイスに対応するページングエリア情報を更新する。様々な実施形態では、ＵＥデバイスのデフォルトのページングエリアは、ＭＭＥのトラッキングエリア全体であり、ステップ６１８で、検出されたＵＥデバイスのページングエリアが改良され、たとえば、検出されたピアツーピアディスカバリ信号、および検出された信号を受信したセルラーアクティブＵＥデバイスの場所に基づいて、トラッキングエリア全体よりも小さいエリアをカバーするために縮小される。様々な実施形態では、ディスカバリ信号を送信した、検出されたＵＥデバイスは、マクロセルラー通信およびフェムトセルラー通信に関して非アクティブ状態である。いくつかの実施形態では、ピアツーピアディスカバリ信号を検出したセルラーアクティブＵＥデバイスは、ピアツーピアネットワークの一部ではないが、ピアツーピアネットワーク内で発生しているピアツーピアディスカバリシグナリングを傍受している。
【００６７】
[0075]  動作はステップ６１８からステップ６１４およびステップ６１６に進む。ステップ６１４で、ＭＭＥは、同じまたは別のセルラーアクティブＵＥデバイスから、ディスカバリ信号を送信したＵＥデバイスを識別する情報を受信する。検出されたディスカバリ信号、たとえば、ピアツーピアディスカバリ信号を送信したＵＥデバイスは、ステップ６１４、６１６、および６１８の最後の反復と同じＵＥデバイスでもよく、異なるＵＥデバイスでもよい。
【００６８】
[0076]  セルラー非アクティブＵＥデバイスのページングエリアは、フェムトセル基地局とセルラーアクティブＵＥデバイスの両方によって、たとえば組み合わせて検出されたピアツーピアディスカバリ情報に基づいて、デフォルトのトラッキングエリアから改良され得る、たとえば縮小され得ることが理解されるべきである。
【００６９】
[0077]  ステップ６２０に戻ると、ステップ６２０で、ＭＭＥが、ユーザ装置デバイスをページングする要求を受信する。動作はステップ６２０からステップ６２２に進む。ステップ６２２で、ＭＭＥが、ページングされるべきＵＥデバイスに対応する、記憶されたページングエリア情報を取り出す。ＵＥデバイスはセルラー非アクティブＵＥデバイスであると考える。記憶されたページングエリア情報は、ステップ６１２およびステップ６１８の１つまたは複数における更新に基づいて、デフォルトのページングエリアよりも小さいエリアを識別してよく、時々識別する。動作はステップ６２２からステップ６２４に進む。
【００７０】
[0078]  ステップ６２４で、ＭＭＥが、ページングされるべきＵＥデバイスにページを送信するトラッキングエリア内の基地局のサブセットを識別する。いくつかの実施形態では、基地局のサブセットは、ページングされるべきＵＥデバイスに対応する識別されたエリアページング内の１つまたは複数のマクロ基地局を含むが、識別されたエリア内のどのフェムト基地局も含まない。いくつかの実施形態では、基地局のサブセットは、ページングされるべきＵＥデバイスに対応する識別されたエリアページング内のマクロ基地局とフェムト基地局とを含む。いくつかの実施形態では、基地局のサブセットは、ページングされるべきＵＥデバイスに対応する識別されたエリアページング内の１つのフェムト基地局を含むが、たとえば、ページングされるべきＵＥデバイスがフェムト基地局に非常に近いと決定された場合、たとえば、あらかじめ定められた限界を上回る成功の確率で、フェムト基地局ページ信号を検出することができると推定された場合、識別されたエリア内のどのマクロ基地局も含まない。
【００７１】
[0079]  動作はステップ６２４からステップ６２６に進み、ＭＭＥが、ページングされるべきＵＥデバイスに要求されたページングを開始するために、基地局の識別されたサブセットに信号を送信する。動作はステップ６２６からステップ６２０に進み、ＭＭＥが、ＵＥデバイスを要求するページを受信する。ページングされるよう要求されているＵＥデバイスは、ステップ６２０、６２２、６２４、および６２６の最後の反復と同じＵＥデバイスでもよく、異なるＵＥデバイスでもよい。
【００７２】
[0080]  図７は、様々な例示的な実施形態による、モビリティ管理エンティティ（ＭＭＥ）７００の図である。例示的なＭＭＥ７００は、たとえば、図２のシステム２００のＭＭＥのうちの１つである。例示的なＭＭＥ７００は、図６のフローチャート６００による方法を実装してもよく、時々実装する。
【００７３】
[0081]  ＭＭＥ７００は、様々な要素（７０２、７０４）がデータおよび情報を交換することができるバス７０９を介してともに結合された、プロセッサ７０２とメモリ７０４とを含む。ＭＭＥ７００は、図示されるようにプロセッサ７０２に結合され得る入力モジュール７０６と出力モジュール７０８とをさらに含む。しかしながら、いくつかの実施形態では、入力モジュール７０６と出力モジュール７０８とは、プロセッサ７０２の内部に配置されている。入力モジュール７０６は、入力信号を受信することができる。入力モジュール７０６は、入力を受信するためのワイヤードおよび／または光入力インターフェースを含む。いくつかの実施形態では、入力モジュール７０６は、入力を受信するためのワイヤレス受信機をさらに含む。出力モジュール７０８は、出力を送信するためのワイヤードおよび／または光出力インターフェースを含む。いくつかの実施形態では、出力モジュール７０８は、出力を送信するためのワイヤレス送信機をさらに含む。いくつかの実施形態では、メモリ７０４は、ルーチン７１１とデータ／情報７１３とを含む。
【００７４】
[0082]  図８は、図７に示される例示的なＭＭＥ７００において使用され得る、またいくつかの実施形態で使用される、モジュールのアセンブリ８００を示す図である。アセンブリ８００内のモジュールは、図７のプロセッサ７０２内のハードウェアに、たとえば個々の回路として実装され得る。あるいは、モジュールはソフトウェアに実装されて、図７に示されるＭＭＥ７００のメモリ７０４に記憶され得る。いくつかのそのような実施形態では、モジュールのアセンブリ８００は、図７のＭＭＥ７００のメモリ７０４のルーチン８１１に含まれる。図７の実施形態には単一のプロセッサ、たとえばコンピュータとして示されているが、プロセッサ７０２は、１つまたは複数のプロセッサ、たとえばコンピュータとして実装され得ることが理解されるべきである。ソフトウェアに実装される場合、モジュールは、プロセッサによって実行されると、プロセッサ、たとえばコンピュータ７０２を、モジュールに対応する機能を実装するように構成するコードを含む。いくつかの実施形態では、プロセッサ７０２は、モジュールのアセンブリ８００のモジュールの各々を実装するように構成される。モジュールのアセンブリ８００がメモリ７０４に記憶されるいくつかの実施形態では、メモリ７０４は、少なくとも１つのコンピュータ、たとえば、プロセッサ７０２に、モジュールが対応する機能を実装させるためのコード、たとえば、モジュールごとの個別コードを備えるコンピュータ可読媒体、たとえば、非一時的コンピュータ可読媒体を備えるコンピュータプログラム製品である。
【００７５】
[0083]  完全にハードウェアベースのまたは完全にソフトウェアベースのモジュールが使用され得る。しかしながら、機能を実装するために、ソフトウェアおよびハードウェア（たとえば、回路が実装された）モジュールの任意の組合せが使用され得ることが理解されるべきである。理解されるように、図８に示されるモジュールは、図６のフローチャート６００の方法において図示および／または説明された対応するステップの機能を実行するために、ＭＭＥ７００、または、プロセッサ７０２などのその中の要素を制御および／または構成する。
【００７６】
[0084]  モジュールのアセンブリ８００は、フェムトセル基地局から、前記フェムト基地局によって信号が受信されたマクロ基地局を識別する情報を受信するように構成されたモジュール８０４と、前記フェムト基地局によって信号が受信されたマクロ基地局を識別する受信された情報に基づいて、フェムトセル基地局の場所を決定するように構成されたモジュール８０６と、フェムト基地局の決定された場所を記憶するように構成されたモジュール８０８とを含む。
【００７７】
[0085]  モジュールのアセンブリ８００は、フェムトセル基地局から、前記フェムトセル基地局によって検出されたディスカバリ信号、たとえば、ピアツーピアディスカバリ信号を送信したユーザ装置デバイスを識別する情報を受信するように構成されたモジュール８１０と、検出されたＵＥデバイスをページングするために使用されるべきページングエリアを設定するために、前記検出されたＵＥデバイスに対応するページングエリア情報を更新するように構成されたモジュール８１２とをさらに含む。モジュールのアセンブリ８００は、たとえば基地局を介して、セルラーアクティブＵＥデバイスから、セルラーアクティブＵＥデバイスによって検出されたディスカバリ信号、たとえば、ピアツーピアディスカバリ信号を送信したＵＥデバイスを識別する情報を受信するように構成されたモジュール８１４と、セルラーアクティブＵＥデバイスの場所を識別する場所情報を受信するように構成されたモジュール８１６と、検出されたＵＥデバイスをページングするために使用されるべきページングエリアを設定するために、前記検出ＵＥデバイスに対応するページングエリア情報を更新するように構成されたモジュール８１８とをさらに含む。
【００７８】
[0086]  様々な実施形態では、モジュール８１２および／またはモジュール８１８のいずれか１つが、あるいはその組合せが、検出されたピアツーピアディスカバリ信号、および知られている、またはピアツーピアディスカバリ信号を検出したデバイスの決定された場所に基づいて、デフォルトのページングエリア、たとえばＭＭＥのトラッキングエリア全体から、より小さいサイズのエリアに、ＵＥデバイス、たとえばセルラー非アクティブＵＥデバイスのページングエリアを縮小する。
【００７９】
[0087]  モジュールのアセンブリ８００は、ＵＥデバイスをページングする要求を受信するように構成されたモジュール８２０と、ページングされるべきＵＥデバイスに対応する、記憶されたページングエリア情報を取り出すように構成されたモジュール８２２と、ページングされるべきＵＥデバイスにページを送信するトラッキングエリア内の基地局のサブセットを識別するように構成されたモジュール８２４と、ページングされるべきＵＥデバイスにページングを開始するために、基地局の識別されたサブセットに信号を送信するように構成されたモジュール８２６とをさらに含む。
【００８０】
[0088]  必ずしもすべてではないが、いくつかの実施形態の様々な態様および／または特徴が、以下でさらに論じられる。様々な実施形態は、セルラーシステムへのページング負荷を改善する、たとえば最適化するためのメカニズムとして、デバイスツーデバイスディスカバリ、たとえば、ＬＴＥ−Ｄｉｒｅｃｔ（ＬＴＥ−Ｄ）ディスカバリを使用する方法および装置に向けられている。
【００８１】
[0089]  ソーシャルネットワークの流行、およびモノのインターネット（ｉｎｔｅｒｎｅｔ  ｏｆ  ｔｈｉｎｇｓ）により、デバイスが、ネットワークによって割り当てられた無線リソースで定期的に、自律的ディスカバリ信号、たとえば、ピアディスカバリ信号（peer discovery signal）を送信することが想定される。そのようなディスカバリ信号の範囲は、ディスカバリ信号が送信機の近隣のデバイスのために意図されているので、セル半径よりも小さい。そのようなディスカバリ信号は、再送信またはネットワークの基地局によって中継されることなしに、近隣のデバイスに直接送信され得る。たとえＵＥデバイスがアイドル状態である場合でも、ディスカバリフェーズ（discovery phase）で送信することができる点に留意されたい。
【００８２】
[0090]  例示的な実施形態では、アイドル状態のＵＥは、その識別、たとえばＳ−ＴＭＳＩを、そのディスカバリ信号の一部として送信する。アイドル状態のＵＥの近傍にある小さいセル基地局、たとえばフェムトセル基地局は、ＵＥによって送信されたディスカバリ信号からアイドル状態のＵＥを発見して、発見されたＵＥの識別をＭＭＥ（モビリティ管理エンティティ）に報告する。ＭＭＥが小さいセル基地局の場所に気付いている場合、ＭＭＥは、ＵＥの位置を大まかに定めることができ、したがって、アイドル状態のＵＥが配置されている可能性のある潜在的なマクロセルを最終的な候補リストに入れることができる。たとえＭＭＥが小さいセル基地局の場所を知らない場合でも、小さいセル基地局は、マクロセル基地局、たとえばｅＮＢのリストを報告することができ、小さいセル基地局は発見することができ、それによってＵＥの位置を大まかに定めることができる。同様に、アクティブなＵＥも、アイドル状態のＵＥによって送信されたディスカバリ信号の結果としてアクティブなＵＥが発見した、発見されたアイドル状態のＵＥの識別をＭＭＥに報告することができる。接続されている（アクティブ）ＵＥがマクロセルの少なくともセクタレベルまでローカライズすることができるので、接続されているＵＥにサービスしているＭＭＥおよびマクロ基地局、たとえばｅＮＢは、ＵＥが配置されている可能性のある潜在的なマクロセルを最終的な候補リストに入れることができる。小さいセル基地局と同様に、接続された（アクティブ）ＵＥも、それが検出することができるマクロｅＮＢを報告することができる。
【００８３】
[0091]  図９は、例示的な実施形態による、例示的な通信システム１０００を示している。複数のマクロセル（マクロセル１００２、マクロセル１００４、マクロセル１００６、マクロセル１００８、マクロセル１０１０、マクロセル１０１２、マクロセル１０１４、マクロセル１０１６、マクロセル１０１８、マクロセル１０２０、マクロセル１０２２、マクロセル１０２４、マクロセル１０２６、マクロセル１０２８、マクロセル１０３０、マクロセル１０３２、マクロセル１０３４、マクロセル１０３６、マクロセル１０３８）、および複数の対応するマクロセル基地局（マクロセルＢＳ１００３、マクロセルＢＳ１００５、マクロセルＢＳ１００７、マクロセルＢＳ１００９、マクロセルＢＳ１０１１、マクロセルＢＳ１０１３、マクロセルＢＳ１０１５、マクロセルＢＳ１０１７、マクロセルＢＳ１０１９、マクロセルＢＳ１０２１、マクロセルＢＳ１０２３、マクロセルＢＳ１０２５、マクロセルＢＳ１０２７、マクロセルＢＳ１０２９、マクロセルＢＳ１０３１、マクロセルＢＳ１０３３、マクロセルＢＳ１０３５、マクロセルＢＳ１０３７、マクロセルＢＳ１０３９）がある。マクロ基地局は、ｅＮｏｄｅＢデバイスと呼ばれることもある。また、例示的なシステム１０００には、複数のモビリティ管理エンティティ（ＭＭＥ１  １０６１、ＭＭＥ２  １０６３、ＭＭＥ３  １０６５）がある。ＭＭＥ１  １０６１は、マクロセル（１００２、１００４、１００６、１００８、１０１０、１０１２）を含むトラッキングエリアＡ１０６０に対応し、ＭＭＥ２  １０６３は、マクロセル（１０１４、１０１６、１０１８、１０２０、１０２２、１０２４）を含むトラッキングエリアＢ１０６２に対応し、ＭＭＥ３  １０６５は、マクロセル（１０２６、１０２８、１０３０、１０３２、１０３４、１０３６、１０３８）を含むトラッキングエリアＣ１０６４に対応する。
【００８４】
[0092]  マクロセル１０３２は、対応するフェムトセル１０４０を有するフェムトセル基地局１０４１をさらに含む。例示的なＵＥ  Ａ１０５０は、現在マクロセル１０３２に置かれている。例示的なＵＥ  Ｂ１０５１も、現在マクロセル１０３２に置かれている。さらに、ＵＥ  Ａ１０５０は、現在、セルラーネットワークに関して動作のアイドル状態、たとえば、ＲＣＣ＿ＩＤＬＥであると考える。さらに、ＵＥ  Ａ１０５０は、デバイスツーデバイス通信、たとえば、ＵＥ  Ａ１０５０とＵＥ  Ｂ１０５１とを含むデバイスツーデバイス通信ネットワークにおけるデバイスツーデバイス通信の一部として、ディスカバリ信号１０９１を送信している、たとえば、定期的に送信していると考える。いくつかの実施形態では、フェムト基地局１０４１はデバイスツーデバイス通信ネットワークの一部ではないが、フェムト基地局１０４１はデバイスツーデバイス通信ネットワークディスカバリシグナリングを傍受する。
【００８５】
[0093]  この例では、送信されたＵＥディスカバリ信号１０９１は、近隣にあるフェムトセル基地局１０４１によって受信されて復号される。フェムトセル基地局１０４１は、たとえばバックホールを介して送信された信号１０９３を介して、ＵＥ  Ａ１０５０の検出されたディスカバリをトラッキングエリアＣ  １０６４のＭＭＥ３  １０６５に報告する。ＭＭＥ３  １０６５は、そのトラッキングエリア内のマクロＢＳから受信された情報、送信された信号１０９３に対応する受信された信号を含むそのトラッキングエリア内のフェムト基地局から受信された情報、およびアイドル状態のＵＥ  Ａ  １０５０の場所を改良するために使用されるそのトラッキングエリア内のＵＥデバイス、たとえばアクティブＵＥデバイスから受信された情報を含む、信号１０６９を受信する。
【００８６】
[0094]  ＭＭＥ３  １０６５は、ＵＥ  Ａ１０５０からデバイスツーデバイスディスカバリ信号を検出したフェムトセル基地局１０４１の場所に気付いていると考える。いくつかの実施形態では、フェムト基地局１０４１の場所は固定されており、あらかじめ定められており、ＭＭＥ３  １０６５によって知られている。いくつかの実施形態では、フェムト基地局１０４１の場所は、フェムト基地局１０６５によって信号が検出および測定される、知られている固定の場所マクロ基地局のリストに基づいて、ＭＭＥ３  １０６５によって決定される。
【００８７】
[0095]  この例では、ＭＭＥ３  １０６５がＵＥ  Ａ１０５０をマクロセル１０３２内にローカライズすると考える。ＵＥ  Ａ  １０５０がページングされると、ＭＭＥ３  １０６５が、マクロセル基地局１０３１、セル１０３２のｅＮＢ、および、いくつかの実施形態では、潜在的に、ページをブロードキャストする小さいセル基地局、たとえばセル１０３２内のフェムトセルＢＳ  １０４１などのフェムトセル基地局のうちの１つまたは複数、あるいはすべてにページを転送する。したがって、ＭＭＥ３  １０６５は、たとえば、ＭＭＥ３  １０６５をそのトラッキングエリア内の基地局に結合するバックホールを介して、ＵＥ  Ａ  １０５０のページ信号１０７０を生成して、マクロセル基地局１０３３とフェムトセル基地局１０４１とに送信すると考える。基地局（１０３３、１０４１）は、それぞれワイヤレスページ信号（１０７４、１０７８）を生成して送信する。いくつかの実施形態では、基地局１０３１と基地局１０４１のうちの１つがページング信号を送信して、たとえば、マクロ基地局１０３１がページング信号１０７４を送信して、フェムト基地局１０４１はページング信号を送信しない。ＵＥデバイスＡ  １０５０は、１つまたは複数のページ信号（１０７４、１０７８）を受信して復号する。
【００８８】
[0096]  次に、ＵＥ  Ａのページは、トラッキングエリアＣ  １０６４内のすべての基地局によってブロードキャストされる必要がなく、ブロードキャストされない点に留意されたい。具体的には、この特定の例では、マクロセル基地局（１０２７、１０２９、１０３１、１０３５、１０３７、１０３９）はページ信号を送信しない。
【００８９】
[0097]  場合によっては、ＭＭＥがアイドル状態のＵＥを単一のマクロセル内にローカライズすることができない場合がある点に留意されたい。そのような場合、ページは、トラッキングエリア内のマクロ基地局のサブセット、ｅＮＢに転送される。たとえば、フェムトＢＳ１０４１によって検出されて、信号１０９３を介してＭＭＥ３  １０６５に報告された、アイドル状態のＵＥ  Ａ  １０５０からのデバイスツーデバイスディスカバリ信号１０９１に基づいて、ＭＭＥ３は、マクロセルＢＳ  １０３１およびマクロセルＢＳ  １０３９が、それぞれページング信号（１０７８、１０７９）をＵＥ  Ａ  １０５０に送信することを指示することができる。
【００９０】
[0098]  様々な実施形態では、モビリティ管理エンティティ（ＭＭＥ）が、ＵＥデバイスがページングされるべき場合に使用されるべきページングエリアを制御する。いくつかのそのような実施形態では、マクロ基地局とのアクティブな接続を有さない、およびフェムト基地局との接続を有することができないＵＥデバイスのために使用されるページングエリアのサイズは、１つまたは複数のセルおよび／またはＵＥによって検出されたデバイスディスカバリ信号に基づく。したがって、いくつかの実施形態では、ＵＥデバイスは、ある比較的大きなページング領域、たとえばトラッキングエリアから、別のページング領域に変更するときに、そのページング場所情報を更新するためにＭＭＥに信号だけを送信することができるが、ＭＭＥは、場所情報が、信号がフェムトセル基地局によって受信されたことを示す情報によって補完される場合、ページングエリアをデフォルトのページングエリア、たとえばトラッキングエリアよりも小さく改良する。フェムトセルビー局によって監視される信号は、マクロセルによって使用されない、および直接デバイスツーデバイスディスカバリ（direct device-to-device discovery）をサポートすることが意図されるチャネル上のＵＥによって通信されるデバイスツーデバイスディスカバリ信号でありうる。
【００９１】
[0099]  様々な実施形態では、デバイス、たとえば図２のシステム２００のＭＭＥ、および／または図４のＭＭＥ４００、およびまたは図７のＭＭＥ７００、および／または図２〜図１０のうちのいずれかのＭＭＥは、本出願における図２〜図１０のうちのいずれかに関して記載される、および／または本出願の発明を実施するための形態において記載される、個々のステップおよび／または動作の各々に対応するモジュールを含む。いくつかの実施形態では、モジュールはハードウェアで、たとえば、回路の形態で実装される。したがって、少なくともいくつかの実施形態では、モジュールはハードウェアで実装されてよく、時々実装される。他の実施形態では、モジュールは、デバイスのプロセッサ、たとえばＭＭＥによって実行されると、デバイスに対応するステップまたは動作を実装させるためのプロセッサ実行可能命令を含むソフトウェアモジュールとして実装されてよく、時々実装される。他の実施形態では、モジュールのうちのいくつかまたはすべては、ハードウェアとソフトウェアとの組合せとして実装される。
【００９２】
[0100]  様々な実施形態の技法は、ソフトウェア、ハードウェア、および／またはソフトウェアとハードウェアとの組合せを使用して実装され得る。様々な実施形態は、装置、たとえばＭＭＥ、ネットワークノード、ピアツーピア通信をサポートするモバイル端末などのモバイルノード、フェムト基地局とマクロ基地局とを含む基地局などのアクセスポイント、および／または通信システムに向けられている。また、様々な実施形態は、方法、たとえば、ＭＭＥ、ネットワークノード、モバイルノード、マクロ基地局とフェムト基地局とを含む基地局などのアクセスポイント、および／または通信システム、たとえばホストを制御および／または動作する方法に向けられている。また、様々な実施形態は、機械、たとえば、方法の１つまたは複数のステップを実装するために機械を制御するための機械可読命令を含む、コンピュータ、可読媒体、たとえばＲＯＭ、ＲＡＭ、ＣＤ、ハードディスク等に向けられている。コンピュータ可読媒体は、たとえば、非一時的コンピュータ可読媒体である。
【００９３】
[0101]  開示されたプロセスにおけるステップの特定の順序または階層は、例示的な手法の一例であることが理解される。設計の嗜好に基づいて、プロセスにおけるステップの特定の順序または階層が、本開示の範囲内に留まりながら再配置されてもよいことが理解される。添付の方法クレームは、サンプル順序における様々なステップの要素を提示するものであり、提示される特定の順序または階層に限定されることが意味されるものではない。
【００９４】
[0102]  様々な実施形態において、本明細書に記載されるノードは、１つまたは複数の方法、たとえば、信号処理、信号生成、および／または送信ステップに対応するステップを実行するために、１つまたは複数のモジュールを使用して実装される。したがって、いくつかの実施形態では、様々な特徴はモジュールを使用して実装される。そのようなモジュールは、ソフトウェア、ハードウェア、またはソフトウェアとハードウェアとの組合せを使用して実装され得る。上述された方法または方法ステップの多くは、たとえば１つまたは複数ノードに上述された方法のすべてまたは一部を実装するために、追加のハードウェアの有無に関わらず、機械、たとえば汎用コンピュータなどを制御するために、メモリデバイス、たとえば、ＲＡＭ、フロッピー（登録商標）ディスク等の機械可読媒体に含まれる、ソフトウェアなどの機械実行可能命令を使用して実装され得る。したがって、とりわけ、様々な実施形態は、機械、たとえば、プロセッサおよび関連付けられるハードウェアに、上述された方法のステップのうちの１つまたは複数を実行させるための機械実行可能命令を含む機械可読媒体、たとえば、非一時的コンピュータ可読媒体に向けられている。いくつかの実施形態は、本発明の１つまたは複数の方法のステップのうちの１つ、複数、またはすべてを実装するように構成されたプロセッサを含むデバイス、たとえばＭＭＥに向けられている。
【００９５】
[0103]  いくつかの実施形態では、１つまたは複数のデバイス、たとえばＭＭＥ、ネットワークノード、マクロ基地局とフェムト基地局とを含む基地局などのアクセスノードおよび／またはワイヤレス端末などの通信ノードのプロセッサ、たとえばＣＰＵは、通信ノードによって実行されるものとして記載される方法のステップを実行するように構成される。プロセッサの構成は、プロセッサ構成を制御するために１つまたは複数のモジュール、たとえばソフトウェアモジュールを使用することによって、ならびに／または列挙されたステップを実行するために、および／もしくはプロセッサ構成を制御するために、プロセッサにハードウェア、たとえばハードウェアモジュールを含めることによって、達成され得る。したがって、すべてとは限らないがいくつかの実施形態は、プロセッサが含まれる、デバイスによって実行される、様々な記載される方法のステップの各々に対応するモジュールを含むプロセッサを有する、デバイス、たとえばＭＭＥなどの通信ノードに向けられている。すべてとは限らないがいくつかの実施形態では、デバイス、たとえばＭＭＥなどの通信ノードは、プロセッサが含まれる、デバイスによって実行される、様々な記載される方法のステップの各々に対応するモジュールを含む。モジュールは、ソフトウェアおよび／またはハードウェアを使用して実装され得る。
【００９６】
[0104]  いくつかの実施形態は、コンピュータ、または複数のコンピュータに、様々な機能、ステップ、動作、および／または操作、たとえば、上述された１つまたは複数のステップを実装させるためのコードを備えるコンピュータ可読媒体、たとえば、非一時的コンピュータ可読媒体を備える、コンピュータプログラム製品に向けられている。実施形態に応じて、コンピュータプログラム製品は、実行されるべきステップごとに異なるコードを含むことができ、時々含む。したがって、コンピュータプログラム製品は、方法、たとえば通信デバイスまたはノードを制御する方法の個々のステップごとにコードを含むことができ、時々含む。コードは、機械、たとえば、コンピュータ、コンピュータ可読媒体、たとえばＲＡＭ（ランダムアクセスメモリ）、ＲＯＭ（読出し専用メモリ）、または他のタイプの記憶デバイスなどの非一時的コンピュータ可読媒体に記憶された実行可能命令の形態でよい。コンピュータプログラム製品に向けられていることに加えて、いくつかの実施形態は、上述された１つまたは複数の方法の様々な機能、ステップ、動作、および／または操作のうちの１つまたは複数を実装するように構成されたプロセッサに向けられている。したがって、いくつかの実施形態は、本明細書に記載される方法のステップのうちのいくつかまたはすべてを実装するように構成されたプロセッサ、たとえばＣＰＵに向けられている。プロセッサは、たとえば、通信デバイス、または本出願に記載される他のデバイスで使用するためのものでよい。
【００９７】
[0105]  様々な実施形態は、マクロセルラー通信、フェムトセルラー通信、およびピアツーピア通信をサポートする通信システムに好適である。様々な実施形態は、システムの少なくとも部分中でピアツーピアシグナリングプロトコル、たとえば、ピア発見シグナリングを含むピアツーピアシグナリングプロトコルを使用する通信システムに好適である。いくつかの実施形態は、直交周波数分割多重化（ＯＦＤＭ）ベースのワイヤレスピアツーピアシグナリングプロトコル、たとえば、ＷｉＦｉ（登録商標）シグナリングプロトコルまたは別のＯＦＤＭベースのプロトコルを使用する。いくつかの実施形態は、ＬＴＥをサポートするシステムに好適である。
【００９８】
[0106]  ＯＦＤＭシステムのコンテキストにおいて説明したが、様々な実施形態の方法および装置のうちの少なくともいくつかは、多くの非ＯＦＤＭおよび／または非セルラーシステムを含む広範囲の通信システムに適用可能である。
【００９９】
[0107]  上記の説明に鑑みて、上記で説明した様々な実施形態の方法および装置に関する多数の追加の変形形態が当業者には明らかであろう。そのような変形は、範囲内であるとみなされるべきである。方法および装置は、符号分割多元接続（ＣＤＭＡ）、ＯＦＤＭ、および／または通信デバイス間にワイヤレス通信リンクを提供するために使用され得る様々な他のタイプの通信技法で使用されてよく、様々な実施形態ではそうである。いくつかの実施形態では、１つまたは複数の通信デバイスは、ＯＦＤＭおよび／またはＣＤＭＡを使用して、モバイルノードとの通信リンクを確立する、および／またはワイヤードまたはワイヤレス通信リンクを介して、インターネットもしくは別のネットワークへの接続を提供し得る、マクロ基地局およびフェムト基地局などのアクセスポイントとして実装される。様々な実施形態では、モバイルノードは、本方法を実装するための、受信機／送信機回路ならびに論理および／またはルーチンを含む、ノートブックコンピュータ、個人情報端末（ＰＤＡ）、または他のポータブルデバイスとして実装される。
以下に、出願当初の特許請求の範囲に記載された発明を付記する。
［Ｃ１］
モビリティ管理エンティティ（ＭＭＥ）を操作する方法であって、
フェムトセル基地局から、前記フェムトセル基地局によって検出されたディスカバリ信号を送信した第１のユーザ装置（ＵＥ）デバイスを識別する情報を受信することと、
前記第１のＵＥデバイスをページングするために使用されるべきページングエリアを第１のエリアに設定するために、前記第１のＵＥデバイスに対応するページングエリア情報を更新することとを備える、方法。
［Ｃ２］
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、Ｃ１に記載の方法。
［Ｃ３］
前記フェムトセル基地局から、前記フェムトセル基地局によって信号が受信されたマクロ基地局を識別する情報を受信すること、をさらに備える、Ｃ２に記載の方法。
［Ｃ４］
前記フェムトセル基地局によって信号が受信されたマクロ基地局を識別する前記受信された情報に基づいて前記フェムトセル基地局の場所を決定すること、をさらに備える、Ｃ３に記載の方法。
［Ｃ５］
第２のＵＥデバイスから、前記第２のＵＥデバイスが前記第１のＵＥデバイスから信号を受信したことを示す情報を受信することと、
前記第２のＵＥデバイスの場所に基づいて、前記第１のエリアを更新することと、をさらに備える、Ｃ１に記載の方法。
［Ｃ６］
前記第１のＵＥデバイスをページングする要求に応答して、前記第１のエリアへのページの送信を開始すること、をさらに備える、Ｃ２に記載の方法。
［Ｃ７］
前記ディスカバリ信号が、セルラーモードの動作で動作しているデバイスの発見のために使用されないディスカバリチャネル上で送信されている、Ｃ１に記載の方法。
［Ｃ８］
フェムトセル基地局から、前記フェムトセル基地局によって検出されたディスカバリ信号を送信した第１のユーザ装置（ＵＥ）デバイスを識別する情報を受信するための手段と、
前記第１のＵＥデバイスをページングするために使用されるべきページングエリアを第１のエリアに設定するために、前記第１のＵＥデバイスに対応するページングエリア情報を更新するための手段と、を備える、モビリティ管理エンティティ（ＭＭＥ）。
［Ｃ９］
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、Ｃ８に記載のＭＭＥ。
［Ｃ１０］
前記フェムトセル基地局から、前記フェムトセル基地局によって信号が受信されたマクロ基地局を識別する情報を受信するための手段、をさらに備える、Ｃ９に記載のＭＭＥ。
［Ｃ１１］
前記フェムトセル基地局によって信号が受信されたマクロ基地局を識別する前記受信された情報に基づいて前記フェムトセル基地局の場所を決定するための手段、をさらに備える、Ｃ１０に記載のＭＭＥ。
［Ｃ１２］
第２のＵＥデバイスから、前記第２のＵＥデバイスが前記第１のＵＥデバイスから信号を受信したことを示す情報を受信するための手段と、
前記第２のＵＥデバイスの場所に基づいて、前記第１のエリアを更新するための手段とをさらに備える、Ｃ８に記載のＭＭＥ。
［Ｃ１３］
前記第１のＵＥデバイスをページングする要求に応答して、前記第１のエリアへのページの送信を開始するための手段をさらに備える、Ｃ９に記載のＭＭＥ。
［Ｃ１４］
前記ディスカバリ信号が、セルラーモードの動作で動作しているデバイスの発見のために使用されないディスカバリチャネル上で送信されている、Ｃ８に記載のＭＭＥ。
［Ｃ１５］
モビリティ管理エンティティ（ＭＭＥ）で使用するためのコンピュータプログラム製品であって、前記コンピュータプログラム製品が、
少なくとも１つのコンピュータに、フェムトセル基地局から、前記フェムトセル基地局によって検出されたディスカバリ信号を送信した第１のユーザ装置（ＵＥ）デバイスを識別する情報を受信させるためのコードと、
前記少なくとも１つのコンピュータに、前記第１のＵＥデバイスをページングするために使用されるべきページングエリアを第１のエリアに設定するために、前記第１のＵＥデバイスに対応するページングエリア情報を更新させるためのコードとを備える、非一時的コンピュータ可読媒体を備える、コンピュータプログラム製品。
［Ｃ１６］
フェムトセル基地局から、前記フェムトセル基地局によって検出されたディスカバリ信号を送信した第１のユーザ装置（ＵＥ）デバイスを識別する情報を受信するように、および、
前記第１のＵＥデバイスをページングするために使用されるべきページングエリアを第１のエリアに設定するために、前記第１のＵＥデバイスに対応するページングエリア情報を更新するように、
構成された少なくとも１つのプロセッサと、
前記少なくとも１つのプロセッサに結合されたメモリとを備える、モビリティ管理エンティティ（ＭＭＥ）。
［Ｃ１７］
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、Ｃ１６に記載のＭＭＥ。
［Ｃ１８］
前記少なくとも１つのプロセッサが、
前記フェムトセル基地局から、前記フェムトセル基地局によって信号が受信されたマクロ基地局を識別する情報を受信するように、さらに構成される、Ｃ１７に記載のＭＭＥ。
［Ｃ１９］
前記少なくとも１つのプロセッサが、
前記フェムトセル基地局によって信号が受信されたマクロ基地局を識別する前記受信された情報に基づいて前記フェムトセル基地局の場所を決定するように、さらに構成される、Ｃ１８に記載のＭＭＥ。
［Ｃ２０］
前記少なくとも１つのプロセッサが、
第２のＵＥデバイスから、前記第２のＵＥデバイスが前記第１のＵＥデバイスから信号を受信したことを示す情報を受信するように、および、
前記第２のＵＥデバイスの場所に基づいて、前記第１のエリアを更新するように、さらに構成される、Ｃ１６に記載のＭＭＥ。
【図１】
0006359631.tif 000002
【図２】
0006359631.tif 000003
【図３】
0006359631.tif 000004
【図４】
0006359631.tif 000005
【図５】
0006359631.tif 000006
【図６】
0006359631.tif 000007
【図７】
0006359631.tif 000008
【図８】
0006359631.tif 000009
【図９】
0006359631.tif 000010